(57)【要約】【課題】扉にはめ込まれたガラス板が外部の侵入者により破壊されて手先が室内側に挿入されても、サムターンが操作できないようにする。【解決手段】サムターン軸１６の基部と嵌合するサムターンガイド５を室外側のシリンダ錠４と同軸かつ回動自在に支承したサムターン座２と、上記サムターンガイド５の室外側の開口端縁に摺接するようにしてその中心軸と直角方向に移動可能に案内され、ストッパーばね１３により下方に向けて付勢されたサムターンストッパー８と、横断面十字形のサムターン軸の基部の各側端縁に傾斜端縁１８及びスロット１９を連設すると共に、サムターン軸の基部に摘み１７を形成したサムターン１５とを有し、上記サムターンストッパーにサムターン基部のスロット１９と係脱可能な係止開口１２を形成する。【選択図】      図９
2004353374.tif 000002
【特許請求の範囲】
【請求項１】
扉面の室内側に装着され、サムターン軸の基部と嵌合するサムターンガイドを室外側のシリンダ錠と同軸かつ回動自在に支承したサムターン座と、このサムターン座において、上記サムターンガイドの室外側の開口端縁に摺接するようにしてその中心軸と直角方向に移動可能に案内され、ストッパーばねにより一方に向けて付勢されたサムターンストッパーと、横断面十字形のサムターン軸の基部の各側端縁に傾斜端縁及びスロットを連設すると共に、サムターン軸の基部に摘みを形成したサムターンとを有し、上記サムターンストッパーにサムターン基部のスロットと係脱可能な係止開口を形成したことを特徴とする防犯型サムターン。
【発明の詳細な説明】
【０００１】
【発明が属する技術分野】
この発明は、防犯型のサムターンに係り、特に、必要に応じて操作できないように切換えることができるサムターンに関する。
【０００２】
【従来の技術】
【特許文献１】特開平１１−２００６７８号公報
本出願人は、先に、上記特許文献１を以て、新規な防犯型のサムターンを提案した。
【０００３】
この防犯型のサムターンは、扉面の室内側に室外側のシリンダ錠と同軸に装着され、シリンダー錠を内蔵したサムターン筒と、サムターン筒の室内側の端部においてシリンダー錠の中心軸と直角方向に移動可能に案内され、ストッパーばねにより一方に向けて付勢されたキーストッパーと、ステム部の基部側端縁にスロット付のショルダー部を形成した合鍵とを有し、上記キーストッパーのウェブに合鍵のショルダー部のスロットと係脱可能な係止開口を形成したことを特徴とするものである。
【０００４】
本出願人の先の提案に係る上記防犯型のサムターンは、近年普及し始めたガラスを嵌め込んだ玄関扉のガラスを破壊して手先が入る程度の開口を作り、この開口を通して手先を室内側に挿入し、扉の室内側に突出したサムターンを操作して扉を不正解錠する、という犯罪の防止に極めて有効であることが実証されている。
【０００５】
【発明が解決しようとする課題】
しかしながら、室内側のシリンダ錠に合鍵を挿入するとき、キーストッパーを操作して合鍵のショルダー部のスロットとキーストッパーとを係合させなければならず、操作が少し煩雑で使い勝手が悪い。
【０００６】
また、室内側にもシリンダー錠を装備しなくてはならないので、構造が少し複雑になる、等未だ改良の余地がある。
【０００７】
そこで、この発明は、使い勝手を向上させ、しかも構造を簡単にした防犯型サムターンを提供し、以て上記した不都合を解消することを目的としている。
【０００８】
【課題を解決するための手段】
上記の目的を達成するため、この発明は、扉面の室内側に装着され、サムターン軸の基部と嵌合するサムターンガイドを室外側のシリンダ錠と同軸かつ回動自在に支承したサムターン座と、このサムターン座において、上記サムターンガイドの室外側の開口端縁に摺接するようにしてその中心軸と直角方向に移動可能に案内され、ストッパーばねにより一方に向けて付勢されたサムターンストッパーと、横断面十字形のサムターン軸の基部の各側端縁に傾斜端縁及びスロットを連設すると共に、サムターン軸の基部に摘みを形成したサムターンとを有し、上記サムターンストッパーにサムターン基部のスロットと係脱可能な係止開口を形成したことを特徴とする。
【０００９】
【実施例】
以下、図面に示す実施例に基づいて、この発明について説明する。
図１において符号１は玄関扉等の室内側の扉面を示し、この扉１にはサムターン座２が装着されている。
【００１０】
サムターン座２の固定は、例えば、サムターン座２の室内側端面周辺部に形成されたボルト孔に通しボルト３（図１乃至図３参照）を挿通し、ボルト先端のねじ部を扉の室外側に装着されたシリンダー錠の内端面に捩じ込み、シリンダ錠を扉に呼び付けることにより行われる。
【００１１】
このサムターン座２は、図１、図２及び図４に示すように、中央に開口を有する蛇の目形の厚板で、その中心軸をシリンダ錠と同軸にして配設されている。
【００１２】
また、サムターン座の中央部には、十字形の開口を有する円盤状のサムターンガイド５が回動自在に支承されている。
【００１３】
なお、後述するサムターン軸の操作時クリック感を与えるため、図４に示すように、サムターン座２にクリックボール６及びクリックばね７からなるクリック装置が内蔵されている。
【００１４】
このサムターン座の裏面側、すなわち図４に示す面には、図面を明瞭にするため付番しない凹陥部が形成されており、この凹陥部にサムターンストッパー８が図で上下方向に移動可能に収納されている。
【００１５】
このサムターンストッパー８は、図１及び図５に示すように、全体の形状が矩形の上側の両隅部を切り欠いた略五角形で、その上下端に細く延伸した部分の内、上側は室内側に折り曲げられてばね受け片８（図５参照）が形成され、下側はコ字形に折り曲げられて操作部１１が形成されている。
【００１６】
また、図５に示すように、サムターンストッパー８の中央よりやや上方には係止開口１２が形成されている。
【００１７】
図示の実施例における係止開口１２は、図５に示すように、前記サムターンガイド５の十字形の開口と同様の十字形に半円形を重合させような形状である。
【００１８】
上記した構造のサムターンストッパー８は、サムターン座２の裏面側の凹陥部に収納、案内された状態で、ばね受片９を介してストッパーばね１３（図１及び図４参照）の弾力を受け、図で下方に付勢されている。
【００１９】
なお、図１及び図３に示すように、サムターン座の裏側を覆うように裏板１４がねじ止めされており、サムターン座からサムターンストッパーやストッパーばね１３が離脱しないように機構を纏めている。
【００２０】
一方、前記サムターンは図５乃至図７に示すように構成されている。すなわち、全体を符号１５で示すサムターンは、横断面が十字形になるように組み合わされた板材よりなるサムターン軸１６と、このサムターン軸の基部に一体に結合された摘み１７からなる。
【００２１】
図示の実施例におけるサムターン軸１６は、基端を例えば合成樹脂製の摘み１７に埋設した３枚の板材を、溶接、接着、或いはカシメなどの結合手段により横断面十字形に成形してある。
【００２２】
そして、サムターン軸１６の基部は先端部より幅広に成形され、その基部の各側端縁には、先端部から順に、傾斜端縁１８及びスロット１９が連設されている。
【００２３】
また、サムターン軸１６の寸法及びサムターンストッパー８との位置関係は、図４に示すように、サムターンガイド５の十字形の開口の一つの先端部がサムターンストッパーの係止開口１２（図５参照）の円弧状の開口端縁部と干渉するように設定されている。
【００２４】
上記のように構成されたこの発明の一実施例による防犯型のサムターンは、例えば外出や就寝のときにはサムターン１６をサムターンガイド５から抜いておく。
【００２５】
この状態では、図１及び図２から明らかなように、十字形の開口はあるがサムターン座２の中心開口はサムターンガイド５によってほぼ閉塞された状態にある。
【００２６】
したがって、サムターンを操作する積もりで例えば玄関扉のガラスを破っても、サムターンが無いので不正解錠は非常に困難である。
【００２７】
一方、常態では、サムターン座２にサムターン１５を挿入しておく。サムターンを挿入するには、その先端部をサムターンガイド５の十字形の開口に係合させ、そのまま扉方向に挿入する。
【００２８】
すると、サムターン軸１６の傾斜端縁１８の一つが室内側からサムターンストッパーの係止開口１２の円弧状の開口端縁部１２ａと干渉するに至り、更にサムターン１５を扉方向に挿入すると、傾斜端縁１８と係止開口１２との間に生じる楔作用により、サムターンストッパー８はその付勢力に抗して図４で上方に押動される。
【００２９】
更にサムターン１５を押し込むと、サムターンストッパー８の円弧状の開口端縁部１２ａがサムターン軸のスロット１９に落ち込み、このようにしてサムターン１５の抜け止めが施されると共に、図９に示すように、サムターン１５の先端部が錠箱２１の開口を相通して、内部のデッドボルト操作部材に連結される。
【００３０】
このとき、サムターン軸１６の先端は、図１０に示すような略８の字形のクラッチ孔２２を介して上記デッドボルト操作部材と係合する。
【００３１】
なお、図４に示すように、サムターン軸１６の先端がサムターンストッパーの係止開口１２と係合するとき、左右の傾斜端縁１８、１８（図６参照）がサムターンストッパーと干渉する如くであるが、このときには上記したようにサムターンストッパー８は上昇するので、干渉は生じない。
【００３２】
そして、上記のようにしてサムターン軸１６のスロット２２をサムターンストッパー８に係合させると、図１１に示すように、左右及び上方のスロットは主に係止開口の円弧状の開口端縁部と摺接可能に係合するので、サムターン１５の軸線方向の移動を拘束した状態で、その軸線回りで回動が可能になる。
【００３３】
したがって、摘み１７を所定の方向に回せば、室内側からシリンダ錠４の施解錠ができる。
【００３４】
なお、サムターン１５の抜け止めを確実にするため、図１１に示すように、係止開口の円弧錠の開口端縁部の両端を図５に示すように成形し、サムターン１５の回動時最低２個のスロット１９がサムターンストッパー８と係合するように構成されている。
【００３５】
一方、外出したり、就寝するときには、このサムターン１５をサムターン座２から取り外す。サムターン１９をサムターン座から取り外すには、操作部１１（図１及び図１１参照）を図で上方に押動する。
【００３６】
すると、図１１から明らかなように、サムターンストッパー８が上昇してサムターンストッパー８とサムターン軸のスロット１９との係合が外れるので、室内側の摘み１７を摘んで手前に引けばサムターン１５はサムターン座２から取り外すことができる。
【００３７】
【発明の効果】
以上の説明から明らかなように、この発明は、サムターン軸の基部と嵌合するサムターンガイドを室外側のシリンダ錠と同軸かつ回動自在に支承したサムターン座と、上記サムターンガイドの室外側の開口端縁に摺接するようにしてその中心軸と直角方向に移動可能に案内され、ストッパーばねにより下方に向けて付勢されたサムターンストッパーと、横断面十字形のサムターン軸の基部の各側端縁に傾斜端縁及びスロットを連設すると共に、サムターン軸の基部に摘みを形成したサムターンとを有し、上記サムターンストッパーにサムターン基部のスロットと係脱可能な係止開口を形成したので、ガラスを嵌め込んだ玄関扉のガラスを破壊してサムターンを操作する不正解錠を有効に防止する、という所期の効果を奏する。
【００３８】
また、サムターン軸をサムターンガイドに挿入するだけでサムターンを装着できるので、使い勝手が良い。
【００３９】
更にまた、室内側にシリンダ錠を設けないので、構造が簡単で実施が容易である、等種々の効果を奏する。
【図面の簡単な説明】
【図１】この発明の一実施例による防犯型サムターンの縦断面図で、サムターンが装着されていない状態を示す。
【図２】この発明の一実施例による防犯型サムターンの正面図、サムターンが装着されていない状態を示す。
【図３】この発明の一実施例による防犯型サムターンの背面図で、サムターンが装着されていない状態を示す。
【図４】この発明の一実施例による防犯型サムターンの裏板を外して示す背面図で、サムターンが装着されていない状態を示す。
【図５】キーストッパーの背面図。
【図６】サムターンの側面図。
【図７】サムターンの平面図。
【図８】サムターンの正面図。
【図９】この発明の一実施例による防犯型サムターンの縦断面図で、サムターンが装着された状態を示す。
【図１０】デッドボルト操作部材とサムターンとの係合の態様を説明するための線図。
【図１１】この発明の一実施例による防犯型サムターンの裏板を外して示す背面図で、サムターンが装着された状態を示す。
【符号の説明】
１  扉面
２  サムターン座
４  シリンダ錠
５  サムターンガイド
８  サムターンストッパー
９  ばね受け片
１１  操作部
１２  係止開口
１３  ストッパーばね
１５  サムターン
１６  サムターン軸
１７  摘み
１８  傾斜端縁
１９  スロット
【図１】
2004353374.tif 000003
【図２】
2004353374.tif 000004
【図３】
2004353374.tif 000005
【図４】
2004353374.tif 000006
【図５】
2004353374.tif 000007
【図６】
2004353374.tif 000008
【図７】
2004353374.tif 000009
【図８】
2004353374.tif 000010
【図９】
2004353374.tif 000011
【図１０】
2004353374.tif 000012
【図１１】
2004353374.tif 000013